(57)【要約】  通信監視システム（１）は、インターネット（Ｎ１）と宅内ネットワーク（Ｎ２）との間で通信されるデータを中継するゲートウェイ装置（１０）と、通信監視装置（２０）と、を備える。ゲートウェイ装置（１０）は、インターネット（Ｎ１）及び宅内ネットワーク（Ｎ２）とそれぞれデータの通信を行う第１通信部（１１）、第２通信部（１２）と、これらに対応して設けられ、第１通信部（１１）、第２通信部（１２）が通信するデータを、それぞれが波長の異なる光信号に変換して出力する第１出力部（１３）、第２出力部（１４）と、を備える。通信監視装置（２０）は、第１出力部（１３）、第２出力部（１４）から出力された光信号を受信する第１受信部（２１）、第２受信部（２２）と、第１受信部（２１）、第２受信部（２２）が受信した光信号から取得したデータに関する情報を表示する表示部（２４）と、を備える。
2016135822.tif 000002
【特許請求の範囲】
【請求項１】
第１のネットワークと第２のネットワークとの間で通信されるデータを中継するゲートウェイ装置と、通信監視装置と、を備えた通信監視システムであって、
前記ゲートウェイ装置は、
前記第１のネットワークとデータの通信を行う第１通信部と、
前記第２のネットワークとデータの通信を行う第２通信部と、
前記第１通信部が通信するデータを第１の波長の光信号に変換して出力する第１出力部と、
前記第２通信部が通信するデータを前記第１の波長と異なる第２の波長の光信号に変換して出力する第２出力部と、を備え、
前記通信監視装置は、
前記第１出力部から出力された光信号を受信する第１受信部と、
前記第２出力部から出力された光信号を受信する第２受信部と、
前記第１受信部及び前記第２受信部が受信した光信号から取得したデータに関する情報を表示する表示部と、を備える、
通信監視システム。
【請求項２】
前記第１出力部及び前記第２出力部は、可視域の光信号を出力する、
請求項１に記載の通信監視システム。
【請求項３】
前記第１出力部及び前記第２出力部は、発光ダイオードである、
請求項１又は２に記載の通信監視システム。
【請求項４】
前記第１受信部及び前記第２受信部は、フォトダイオードである、
請求項１から３の何れか１項に記載の通信監視システム。
【請求項５】
第１のネットワークと第２のネットワークとの間で通信されるデータを中継するゲートウェイ装置であって、
前記第１のネットワークとデータの通信を行う第１通信部と、
前記第２のネットワークとデータの通信を行う第２通信部と、
前記第１通信部が通信するデータを第１の波長の光信号に変換して出力する第１出力部と、
前記第２通信部が通信するデータを前記第１の波長と異なる第２の波長の光信号に変換して出力する第２出力部と、
を備えるゲートウェイ装置。
【請求項６】
ゲートウェイ装置から出力される第１の波長の光信号を受信する第１受信部と、
前記ゲートウェイ装置から出力される前記第１の波長と異なる第２の波長の光信号を受信する第２受信部と、
前記第１受信部及び前記第２受信部が受信した光信号から取得したデータに関する情報を表示する表示部と、
を備える通信監視装置。
【発明の詳細な説明】
【技術分野】
【０００１】
本発明は、ネットワーク間で中継されるデータを監視する通信監視システム、ゲートウェイ装置、及び、通信監視装置に関する。
【背景技術】
【０００２】
ネットワーク間に配置され、ネットワーク間で通信されるデータを中継するゲートウェイ装置が知られている。例えば、特許文献１には、宅外ネットワークと宅内ネットワークとの間に配置されたゲートウェイ装置について記載されている。このゲートウェイ装置は、宅外ネットワークから制御指示入力を受け付けたときに制御命令を生成し、宅内ネットワークに接続された家電機器に送信する。
【先行技術文献】
【特許文献】
【０００３】
【特許文献１】特開２００２−４４７６５号公報
【発明の概要】
【発明が解決しようとする課題】
【０００４】
ゲートウェイ装置を備えたシステムにおいて通信障害が発生した際の原因の解析や通信検査等のために、ゲートウェイ装置が中継するデータをリアルタイムで監視したい場合がある。特許文献１に記載のゲートウェイ装置では、宅内ネットワークに送信する制御命令はモニタにも送信されるため、リアルタイムで制御命令を監視することができる。しかしながら、ゲートウェイ装置が宅外ネットワークに送信するデータについては、リアルタイムで監視することはできない。即ち特許文献１に記載のゲートウェイ装置では、ネットワーク間で中継するデータを、宅外ネットワークと宅内ネットワークの両方から双方向でリアルタイムに監視することはできない。【０００５】
また、プロトコルアナライザのような計測器をゲートウェイ装置の各ネットワークへの通信ポートに接続すれば、各ネットワークから通信されるデータを双方向でリアルタイムに監視することは可能である。しかし、この場合、１台のゲートウェイ装置に少なくとも２台の計測器を接続する必要があるためコストがかかり、配線も複雑になるため手間もかかる。また、このような計測器を無線でゲートウェイ装置に接続することも考えられるが、計測器間で混線が発生してデータを正しく取得できない虞がある。【０００６】
本発明は上記実情に鑑みてなされたものであり、配線の手間やコストをかけずに容易に中継するデータを双方向でリアルタイムに監視することができる通信監視システム等を提供することを目的とする。
【課題を解決するための手段】
【０００７】
上記目的を達成するため、本発明に係る通信監視システムは、
第１のネットワークと第２のネットワークとの間で通信されるデータを中継するゲートウェイ装置と、通信監視装置と、を備えた通信監視システムであって、
前記ゲートウェイ装置は、
前記第１のネットワークとデータの通信を行う第１通信部と、
前記第２のネットワークとデータの通信を行う第２通信部と、
前記第１通信部が通信するデータを第１の波長の光信号に変換して出力する第１出力部と、
前記第２通信部が通信するデータを前記第１の波長と異なる第２の波長の光信号に変換して出力する第２出力部と、を備え、
前記通信監視装置は、
前記第１出力部から出力された光信号を受信する第１受信部と、
前記第２出力部から出力された光信号を受信する第２受信部と、
前記第１受信部及び前記第２受信部が受信した光信号から取得したデータに関する情報を表示する表示部と、を備える。
【発明の効果】
【０００８】
本発明によれば、配線の手間やコストをかけずに容易に中継するデータを双方向でリアルタイムに監視することができる。
【図面の簡単な説明】
【０００９】
【図１】本発明の実施形態に係る通信監視システムの全体構成を示す図である。
【図２】ゲートウェイ装置と通信監視装置との構成を示すブロック図である。
【図３】中継処理の手順を示すフローチャートである。
【図４】中継処理の具体例を説明するための図である。
【図５】通信監視画面の例を示す図である。
【発明を実施するための形態】
【００１０】
以下、本発明の実施形態について、図面を参照しながら詳細に説明する。なお、図中同一又は相当部分には同一符号を付す。
【００１１】
本発明の実施形態に係る通信監視システム１について図１を参照して説明する。通信監視システム１は、ネットワーク間（インターネットＮ１と宅内ネットワークＮ２との間）で通信（送受信）されるデータを監視するシステムである。通信監視システムは、図１に示すように、ゲートウェイ装置１０と、通信監視装置２０と、を備える。
【００１２】
ゲートウェイ装置１０は、住宅５０内の分電盤等に設置されており、インターネットＮ１と宅内ネットワークＮ２との間で通信されるデータを中継する。例えば、ゲートウェイ装置１０は、インターネットＮ１を介して端末３０から受信した遠隔操作の指示情報（操作コマンド）を、宅内ネットワークＮ２に接続された住宅５０内の機器４０に送信する。また、ゲートウェイ装置１０は、宅内ネットワークＮ２を介して住宅５０内の機器４０から受信した状態情報を、インターネットＮ１に接続された端末３０に送信する。また、ゲートウェイ装置１０は、このような中継機能に加えて、中継するデータを光信号に変換して通信監視装置２０にも出力する。なお、ゲートウェイ装置１０は、住宅５０内の各機器４０を管理するＨＥＭＳ（Home Energy Management System）のコントローラとして機能してもよい。
【００１３】
続いて、ゲートウェイ装置１０の構成について説明する。ゲートウェイ装置１０は、図２に示すように、第１通信部１１と、第２通信部１２と、第１出力部１３と、第２出力部１４と、プロトコル変換部１５と、を備える。
【００１４】
第１通信部１１は、インターネットＮ１を介して通信するための通信インタフェース等から構成され、インターネットＮ１と通信を行う。具体的には、第１通信部１１は、インターネットＮ１を介して端末３０から受信した機器４０への遠隔操作を指示するデータ等をプロトコル変換部１５と第１出力部１３とに出力する。また、第１通信部１１は、プロトコル変換部１５から出力されたデータをインターネットＮ１を介して端末３０へ送信するとともに、第１出力部１３にも出力する。
【００１５】
第２通信部１２は、宅内ネットワークＮ２を介して通信するための通信インタフェース等から構成され、宅内ネットワークＮ２と通信を行う。具体的には、第２通信部１２は、宅内ネットワークＮ２を介して住宅５０内の機器４０から受信した運転状態等を示すデータをプロトコル変換部１５と第２出力部１４とに出力する。また、第２通信部１２は、プロトコル変換部１５から出力されたデータを宅内ネットワークＮ２を介して機器４０へ送信するとともに、第２出力部１４へ出力する。
【００１６】
第１出力部１３は、特定の波長（第１の波長）の光（本実施形態では赤色光）を放出する発光ダイオード（ＬＥＤ）を備える。第１出力部１３は、第１通信部１１がインターネットＮ１と通信するデータを赤色光の点滅等の光信号に変換して外部に出力する。なお、通信するデータと、これに対応する光信号（点滅のパターン）と、の対応関係を規定したテーブルを記憶しておき、第１出力部１３は、このテーブルを参照して、通信するデータを光信号に変換してもよい。
【００１７】
第２出力部１４は、第１の波長とは異なる特定の波長（第２の波長）の光（本実施形態では青色光）を放出するＬＥＤを備える。第２出力部１４は、第２通信部１２が宅内ネットワークＮ２と通信するデータを青色光の点滅等の光信号に変換して外部に出力する。
【００１８】
プロトコル変換部１５は、ＣＰＵ（Central Processing Unit）等を備え、中継元のネットワーク（インターネットＮ１又は宅内ネットワークＮ２）から取得したデータを、中継先のネットワーク（宅内ネットワークＮ２又はインターネットＮ１）に対応したプロトコル形式に変換する。例えば、プロトコル変換部１５は、第１通信部１１がインターネットＮ１から取得したデータを、宅内ネットワークＮ２に対応したプロトコル形式に変換して、第２通信部１２に出力する。また、プロトコル変換部１５は、第２通信部１２が宅内ネットワークＮ２から取得したデータを、インターネットＮ１に対応したプロトコル形式に変換して、第１通信部１１に出力する。
【００１９】
続いて、通信監視装置２０について説明する。通信監視装置２０は、ゲートウェイ装置１０の近傍に設置されている。通信監視装置２０は、ゲートウェイ装置１０が中継するデータをリアルタイムで監視して出力する機能を有する。通信監視装置２０は、図２に示すように、第１受信部２１と、第２受信部２２と、取得部２３と、表示部２４と、を備える。
【００２０】
第１受信部２１はフォトダイオードを備え、ゲートウェイ装置１０の第１出力部１３から出力される光信号を取得（受光）可能な位置に配置される。また、第１受信部２１の受光面には、第１出力部１３から出力される光信号（赤色光）の波長域のみが透過可能なフィルタｆ１が配置されている。第１受信部２１は、第１出力部１３から出力される光信号を検出し、取得部２３に出力する。
【００２１】
第２受信部２２はフォトダイオードを備え、ゲートウェイ装置１０の第２出力部１４から出力される光信号を取得（受光）可能な位置に配置される。また、第２受信部２２の受光面には、第２出力部１４から出力される光信号（青色光）の波長域のみが透過可能なフィルタｆ２が配置されている。第２受信部２２は、第２出力部１４から出力される光信号を検出し、取得部２３に出力する。
【００２２】
取得部２３は、ＣＰＵやＲＴＣ（real-time clock）等を備え、第１受信部２１及び第２受信部２２が受信した光信号から、この光信号が示すデータを取得し、取得したデータに関する情報（データ名やサイズや種類等）を、現在時刻とともに表示部２４に出力する。具体的には、取得部２３は、光信号（点滅のパターン）とデータとの対応関係を規定したテーブル等を参照して、受信した光信号からデータを取得すればよい。
【００２３】
例えば、取得部２３は、第１受信部２１から出力された光信号から、ゲートウェイ装置１０の第１通信部１１がインターネットＮ１と通信したデータを取得し、そのデータ名を現在時刻とともに表示部２４に出力する。また、例えば、取得部２３は、第２受信部２２から出力された光信号から、ゲートウェイ装置１０の第２通信部１２が宅内ネットワークＮ２と通信したデータを取得し、そのデータ名を現在時刻とともに表示部２４に出力する。
【００２４】
表示部２４は、ＬＣＤ（Liquid Crystal Display）等の表示装置であり、取得部２３から出力された情報を表示する。
【００２５】
続いて、上述したゲートウェイ装置１０の動作について説明する。図３は、インターネットＮ１から宅内ネットワークＮ２にデータを中継する中継処理の手順を示すフローチャートである。
【００２６】
端末３０は、インターネットＮ１を介して、住宅５０内の機器４０へ遠隔操作を指示するコマンド等のデータを送信する。ゲートウェイ装置１０の第１通信部１１は、インターネットＮ１からこのデータを受信すると（ステップＳ１１）、第１出力部１３とプロトコル変換部１５とに出力する（ステップＳ１２）。
【００２７】
第１出力部１３は、第１通信部１１から出力されたデータを光信号に変換して通信監視装置２０に出力する（ステップＳ１３）。通信監視装置２０の第１受信部２１はこの光信号を受信し、取得部２３がこの光信号から変換前の元のデータを取得し、そのデータ名等が表示部２４に表示される。
【００２８】
一方、プロトコル変換部１５は、第１通信部１１から出力されたデータを、宅内ネットワークＮ２に対応したプロトコル形式に変換する（ステップＳ１４）。なお、図３のフローチャートでは、ステップＳ１３の後にステップＳ１４の処理が実行されているが、ステップＳ１３及びステップＳ１４の処理はほぼ同時に実行される。
【００２９】
続いて、第２通信部１２は、プロトコル変換部１５がプロトコル形式を変換したデータを宅内ネットワークＮ２に接続されている遠隔操作対象の機器４０に送信するとともに、第２出力部１４にも出力する（ステップＳ１５）。このデータを受信した機器４０では、端末３０から指示された遠隔操作が実行される。
【００３０】
続いて、第２出力部１４は、第２通信部１２から出力されたデータを光信号に変換して、通信監視装置２０に出力する（ステップＳ１６）。通信監視装置２０の第２受信部２２はこの光信号を受信し、取得部２３がこの光信号から変換前の元のデータを取得し、そのデータ名等が表示部２４に表示される。
【００３１】
続いて、具体例を用いて上述した中継処理について説明する。図４は、ゲートウェイ装置１０の第１通信部１１と第２通信部１２とが、インターネットＮ１又は宅内ネットワークＮ２から、宅内ネットワークＮ２又はインターネットＮ１にデータＡ，Ｂを中継するタイミングを示す図である。
【００３２】
まず、第１通信部１１は、時刻Ｔ１〜Ｔ２の間、インターネットＮ１からデータＡを受信する。なお、データＡのサイズが大きい程、また通信速度が遅い程、データＡの受信に要する時間（時刻Ｔ１〜Ｔ２）は長くなる。また、この間、第１通信部１１は、受信中のデータＡをプロトコル変換部１５と第１出力部１３とに出力し、第１出力部１３からは、データＡが特定波長（赤色光）の光信号に変換されて出力される。通信監視装置２０では、第１受信部２１がこの光信号を受信する。そして、取得部２３がこの光信号から元のデータＡを取得し、そのデータ名等の情報が光信号を受信した時刻とともに表示部２４に表示される。なお、第１通信部１１がデータＡの受信を開始すると、即時に光信号に変換されて第１出力部１３から出力されるため、このときデータ名等の情報とともに表示部２４に表示される時刻は、データＡの受信開始時刻Ｔ１とほぼ同じになる。
【００３３】
一方、第２通信部１２は、時刻Ｔ３〜Ｔ４の間、宅内ネットワークＮ２からデータＢを受信する。また、この間、第２通信部１２は、受信中のデータＢをプロトコル変換部１５と第２出力部１４とに出力する。ここで、データＢを受信している時間（時刻Ｔ３〜Ｔ４）は、第１通信部１１がデータＡを受信している時間（時刻Ｔ１〜Ｔ２）と一部が重複している。従って、その間の時間（時刻Ｔ３〜Ｔ２）、ゲートウェイ装置１０は、インターネットＮ１及び宅内ネットワークＮ２の両方からデータＡ，Ｂを同時に受信している状態となる。しかしながら、この場合でも、第１出力部１３とは別に設けた第２出力部１４から、第２通信部１２が受信したデータＢが特定波長（青色光）の光信号に変換されてリアルタイムに出力される。通信監視装置２０では、第２受信部２２がこの光信号を受信する。そして、取得部２３が、受信した光信号から元のデータＢを取得し、そのデータ名等の情報が光信号を受信した時刻とともに表示部２４に表示される。なお、第２通信部１２がデータＢの受信を開始すると、即時に光信号に変換されて第２出力部１４から出力されるため、このときデータ名等の情報とともに表示部２４に表示される時刻は、データＢの受信開始時刻Ｔ３とほぼ同じになる。
【００３４】
続いて、第２通信部１２は、時刻Ｔ５〜Ｔ６の間、プロトコル変換部１５によって宅内ネットワークＮ２用のプロトコル形式に変換されたデータＡを宅内ネットワークＮ２に送信するとともに、このデータＡを第２出力部１４に出力する。そして、第２出力部１４は、このデータＡを特定波長（青色光）の光信号に変換して出力する。通信監視装置２０では、第２受信部２２がこの光信号を受信する。そして、取得部２３が、受信した光信号から元のデータＡを取得し、データ名等の情報が光信号を受信した時刻とともに表示部２４に表示される。なお、第２通信部１２がデータＡの送信を開始すると、即時に光信号に変換されて第２出力部１４から出力されるため、このときデータ名等の情報とともに表示部２４に表示される時刻は、データＡの送信開始時刻Ｔ５とほぼ同じになる。
【００３５】
一方、第１通信部１１は、時刻Ｔ７〜Ｔ８の間、プロトコル変換部１５によってインターネットＮ１用のプロトコル形式に変換されたデータＢをインターネットＮ１に送信するとともに、このデータＢを第１出力部１３に出力する。ここで、データＢを送信している時間（時刻Ｔ７〜Ｔ８）は、第２通信部１２がデータＡを送信している時間（時刻Ｔ５〜Ｔ６）と一部が重複している。従って、その間の時間（時刻Ｔ７〜Ｔ６）、ゲートウェイ装置１０は、宅内ネットワークＮ２及びインターネットＮ１の両方から同時にデータＡ，Ｂを送信している状態となる。しかしながら、この場合でも、第２出力部１４とは別に設けた第１出力部１３から、第１通信部１１が送信したデータＢが特定波長（赤色光）の光信号に変換されてリアルタイムで出力される。通信監視装置２０では、第１受信部２１がこの光信号を受信する。そして、取得部２３が、受信した光信号から元のデータＢを取得し、データ名等の情報が光信号を受信した時刻とともに表示部２４に表示される。なお、第１通信部１１がデータＢの送信を開始すると、即時に光信号に変換されて第１出力部１３から出力されるため、このときデータ名等の情報とともに表示部２４に表示される時刻は、データＢの送信開始時刻Ｔ７とほぼ同じになる。
【００３６】
そして、最終的に、この具体例では、図５に示すような通信監視画面が通信監視装置２０の表示部２４に表示される。ユーザは、この通信監視画面を確認することにより、ゲートウェイ装置１０がデータを正しく中継しているかどうか等を、リアルタイムで容易に確認することができる。
【００３７】
このように、本実施形態によれば、ゲートウェイ装置１０がネットワーク間でデータを中継する際、中継するデータが、ネットワーク毎に異なる波長の光信号に変換されて出力される。そして、通信監視装置２０により、この光信号からゲートウェイ装置１０が中継するデータが取得されて、そのデータに関する情報が表示される。そのため、プロトコルアナライザのような計測器をゲートウェイ装置１０に複数接続すること無しに、ゲートウェイ装置１０の近傍に通信監視装置２０を１つ設置するだけで、配線の手間やコストをかけずに容易に中継するデータを監視することができる。
【００３８】
また、本実施形態によれば、ネットワーク毎に別々に設けられたゲートウェイ装置１０の出力部（第１出力部１３、第２出力部１４）から、光信号が異なる波長で出力される。そのため、ゲートウェイ装置１０が各ネットワークからデータを同時に送受信している場合でも、各出力部からそのデータに対応した光信号を出力して、そのデータに関する情報を通信監視装置２０でリアルタイムに監視することが可能となる。
【００３９】
また、本実施形態によれば、ゲートウェイ装置１０の各出力部から出力される光信号は、それぞれが異なる色の可視域の光信号である。そのため、ユーザは、ゲートウェイ装置１０から出力される光信号の色を確認することで、そのときの通信状況を直感的に把握することも可能となる。
【００４０】
（変形例）
なお、本発明は、上記実施形態に限定されず、本発明の要旨を逸脱しない範囲での種々の変更は勿論可能である。
【００４１】
例えば、上記実施形態では、インターネットＮ１と宅内ネットワークＮ２との間のデータを中継するゲートウェイ装置１０について説明したが、本発明は、他の異なるネットワーク間でデータを中継するゲートウェイ装置にも適用可能である。さらに、本発明は、２以上のネットワーク間でデータを中継するゲートウェイ装置にも適用可能である。なお、その場合、対応するネットワークの数だけ、ゲートウェイ装置の出力部と通信監視装置の受信部とを設ける必要がある。
【００４２】
また、上記実施形態では、第１出力部１３からは赤色、第２出力部１４からは青色の光信号が出力されるゲートウェイ装置１０について説明したが、互いに異なる色であれば、第１出力部１３及び第２出力部１４から出力される光信号の色は任意である。また、第１出力部１３及び第２出力部１４から、可視域以外の互いに異なる波長の光信号を出力してもよい。
【００４３】
また、上記実施形態では、通信監視装置２０の表示部２４にゲートウェイ装置１０が中継するデータに関する情報を表示したが、これらの情報をメール等でユーザのＰＣ（Personal Computer）やスマートフォン等に送信して出力してもよい。
【００４４】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００４５】
本発明は、ＨＥＭＳなどのシステムに好適に採用され得る。
【符号の説明】
【００４６】
１  通信監視システム、１０  ゲートウェイ装置、２０  通信監視装置、３０  端末、４０  機器、５０  住宅、Ｎ１  インターネット、Ｎ２  宅内ネットワーク、１１  第１通信部、１２  第２通信部、１３  第１出力部、１４  第２出力部、１５  プロトコル変換部、２１  第１受信部、２２  第２受信部、２３  取得部、２４  表示部、ｆ１，ｆ２  フィルタ
【図１】
2016135822.tif 000003
【図２】
2016135822.tif 000004
【図３】
2016135822.tif 000005
【図４】
2016135822.tif 000006
【図５】
2016135822.tif 000007
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
第１のネットワークと第２のネットワークとの間で通信されるデータを中継するゲートウェイ装置と、通信監視装置と、を備えた通信監視システムであって、
前記ゲートウェイ装置は、
前記第１のネットワークとデータの通信を行う第１通信部と、
前記第２のネットワークとデータの通信を行う第２通信部と、
前記第１通信部が通信するデータを第１の波長の光信号に変換して出力する第１出力部と、
前記第２通信部が通信するデータを前記第１の波長と異なる第２の波長の光信号に変換して出力する第２出力部と、を備え、
前記通信監視装置は、
前記第１出力部から出力された光信号を受信する第１受信部と、
前記第２出力部から出力された光信号を受信する第２受信部と、
前記第１受信部及び前記第２受信部が受信した光信号から取得したデータに関する情報を表示する表示部と、を備える、
通信監視システム。
【請求項２】
前記第１出力部及び前記第２出力部は、可視域の光信号を出力する、
請求項１に記載の通信監視システム。
【請求項３】
前記第１出力部及び前記第２出力部は、発光ダイオードである、
請求項１又は２に記載の通信監視システム。
【請求項４】
前記第１受信部及び前記第２受信部は、フォトダイオードである、
請求項１から３の何れか１項に記載の通信監視システム。
【請求項５】
第１のネットワークと第２のネットワークとの間で通信されるデータを中継するゲートウェイ装置であって、
前記第１のネットワークとデータの通信を行う第１通信部と、
前記第２のネットワークとデータの通信を行う第２通信部と、
前記第１通信部が通信するデータを第１の波長の光信号に変換して該データの通信相手先とは異なる通信監視装置に出力する第１出力部と、
前記第２通信部が通信するデータを前記第１の波長と異なる第２の波長の光信号に変換して該データの通信相手先とは異なる前記通信監視装置に出力する第２出力部と、
を備えるゲートウェイ装置。
【請求項６】
ゲートウェイ装置から出力される第１の波長の光信号を受信する第１受信部と、
前記ゲートウェイ装置から出力される前記第１の波長と異なる第２の波長の光信号を受信する第２受信部と、
前記第１受信部及び前記第２受信部が受信した光信号から取得したデータに関する情報を表示する表示部と、
を備える通信監視装置。
【国際調査報告】
2016135822.tif 000008
2016135822.tif 000009
2016135822.tif 000010
2016135822.tif 000011